(57)【要約】  【課題】中敷きを敷いたために窮屈にならない程度に薄く、かつ使い捨てに適した安価な構造によって、汗の吸湿性と通気性・乾燥性などの中敷きの主要件を満たし、しかも爪先部の塵埃堆積や足裏前半部の吸湿性改善を実現する。  【解決手段】３枚以内のメッシュ状質の薄い多孔シートと３枚以内の薄い不織布質シートを積層してなるため、中敷きとしては薄型となる。その結果、購入後の靴に後で用いた場合に窮屈になるという問題は生じない。不織布は汗の吸湿性がよく、メッシュ状シートは通気性が良いため、両者を積層してなる中敷きは、薄型であるにも係わらず、吸湿性と通気性・速乾性に優れた、理想的な中敷きを実現できる。靴内の爪先の部分に当てるための詰め部を中敷き先端に設けてあるため、靴内の爪先の部分に綿屑状の塵埃が溜まったり、溜まった状態で汗で湿気たりして、不衛生になるのを防止できる。【選択図】  図３
0003127317.tif 000002
【実用新案登録請求の範囲】
【請求項１】
通気性の良いメッシュ状質と吸湿性の良い不織布質とを一体化してなるシート１枚以上からなり、厚さが２ｍｍ以下であることを特徴とする靴の中敷き。
【請求項２】
３枚以内の前記メッシュ状質からなる多孔シートと３枚以内の前記不織布質のシートを積層してなることを特徴とする請求項１に記載の靴の中敷き。
【請求項３】
前記の１枚以上のシートから成る中敷きは、足裏の形状に形成されており、その前半部は、積層枚数の多い部分を有していることを特徴とする請求項１または請求項２に記載の靴の中敷き。
【請求項４】
靴の爪先の部分に当てるための余長部を中敷き先端に設けてあることを特徴とする請求項１、請求項２または請求項３に記載の靴の中敷き。
【請求項５】
前記の中敷き先端の余長部を中敷き部に折り重ねてあることを特徴とする請求項１から請求項４までのいずれかの項に記載の靴の中敷き。
【請求項６】
前記メッシュ状質の多孔シートが、パーマネント時の髪巻きシートであることを特徴とする請求項１から請求項５までのいずれかの項に記載の靴の中敷き。
【請求項７】
前記の不織布質のシートが、キッチンペーパやキッチンタオル、掃除用のワイパーシートのように凹凸処理されたシートであることを特徴とする請求項１から請求項６までのいずれかの項に記載の靴の中敷き。
【考案の詳細な説明】
【技術分野】
【０００１】
本考案は、足裏の汗の吸収に適した靴の中敷きに関し、使用時に窮屈にならず、かつ中敷き自体の汗の吸湿性、通気・早乾性に富んだ構造を提案する。
【背景技術】
【０００２】
靴の中敷きにおいて最も重要なことは、汗の吸湿性の良いことと、吸収した湿気を効果的に乾燥できることであるが、このような目的を達成できる構造として、実開平６-81309号公報に記載のように、「靴の中敷を積層構造とし、多数の貫通した小孔を有する上面部材と、多数の貫通した小孔を有する底面部材との間に、高吸水性樹脂より成る中綿を挟み、該中綿と上面部材との間、および該中綿と底面部材との間に、夫々透湿紙を介在させ、しかる後、全体を縫合したので、安全靴などの通気性の悪い靴の使用に際して、足からの発汗による靴内部の蒸れ（むれ）を防ぐ構造」が提案されている。
【特許文献１】実開平６-81309
【考案の開示】
【考案が解決しようとする課題】
【０００３】
しかしながら、特許文献１の場合は５枚ものシート状部材を積層し、しかも厚手の層を含むと共に、３種類もの層を要する構造であるため、靴底に敷いた場合、中敷きの厚みのために靴の内部が窮屈となり、履き心地が低下するほか、コスト高となり、使い捨てには不向きである。一方、各種の中敷きが市販されているが、何れも全体の厚みが厚過ぎるために、履いた場合に窮屈になってしまう。靴を購入する場合は、実際に履いてみて、履き心地の良い靴を購入するのが通常であるから、後になって厚い中敷きを敷いた場合は、内部のサイズが異なってしまうために、必然的に履き心地が悪くなってしまう。内部が窮屈になることで、通気性が低下して乾燥し難くなり、逆効果を招くという矛盾も生じる。
【０００４】
また、別の問題として、靴の内部、特に通気性の悪い爪先の部分に塵埃が溜まり易く、しかも汗を吸収して湿気てしまうため、不快になると共にダニが寄生したり、水虫の原因となるなど、不衛生になり易い。したがって、爪先部分に塵埃が溜まったり、汗で湿気たりするという問題を解消することも重要である。爪先部の次に汗をかき易い領域は、足裏の前半部であるから、この前半部の吸湿性や乾燥性を改善することが求められる。特にブーツの場合は問題が深刻で、水虫が完治し難いという訴えが多い。本考案の技術的課題は、このような問題に着目し、中敷きを敷いたために窮屈にならない程度に薄く、かつ使い捨てに適した安価な構造によって、汗の吸湿性と通気性・乾燥性などの中敷きの主要件を満たし、しかも爪先部の塵埃堆積や足裏前半部の吸湿性改善を実現することにある。
【課題を解決するための手段】
【０００５】
本考案の技術的課題は次のような手段によって解決される。請求項１は、通気性の良いメッシュ状質と吸湿性の良い不織布質とを一体化してなるシート１枚以上からなり、厚さが２ｍｍ以下であることを特徴とする靴の中敷きである。メッシュの形状やサイズは任意である。このように、通気性の良いメッシュ状質と吸湿性の良い不織布質とを一体化してなるシートで靴の中敷きを構成するため、吸湿性の良い不織布質の作用によって、足から出る汗などの湿気を効果的に吸収でき、靴の中が快適な環境となる。また、一体化されている通気性の良いメッシュ状質の作用によって、不織布質の部分に吸収された湿気の乾燥が促進される。使用時は、シート１枚のみ又は２枚以上積層し、しかも厚さが２ｍｍ以下であるため、中敷きとして使用する際に靴の中が窮屈になる恐れはない。通気性の良いメッシュ状質と吸湿性の良い不織布質とを一体化して１枚のシートを構成しているので、腰が強く、靴の中に奥深く挿入する際の操作が容易で、取り扱いが簡便である。
【０００６】
請求項２は、３枚以内の前記メッシュ状質からなる多孔シートと３枚以内の前記不織布質のシートを積層してなることを特徴とする請求項１に記載の靴の中敷きである。多孔シートと不織布シートは、交互に積層してもよいが、多孔シートのみ又は不織布シートのみを積層してから、互いに積層してもよい。このように、３枚以内のメッシュ状質の薄い多孔シートと３枚以内の薄い不織布質シートを積層してなるため、最大でも６枚のシート枚数となり、中敷きとしては薄型となる。その結果、購入後の靴に後で用いた場合に窮屈になるという問題は生じない。そして、不織布は汗の吸湿性がよく、メッシュ状シートは通気性が良いため、両者を積層してなる中敷きは、薄型であるにも係わらず、吸湿性と通気性・速乾性に優れた、理想的な中敷きを実現できる。なお、メッシュ状質シートはザラザラしているため、中敷きとして使用している最中の滑り止めとしても作用するので、特に女性用のヒールの高い靴に使用する際に有効である。
【０００７】
請求項３は、前記の積層シート構造の中敷きは、足裏の形状に形成されており、その前半部は、積層枚数の多い部分を有していることを特徴とする請求項１に記載の靴の中敷きである。このように、前記の積層シートの中敷きが足裏の形状に形成されており、その前半部は、積層枚数の多い部分を有しているため、発汗の少ない足裏後半部より吸湿性が向上し、発汗の多い足裏前半部の吸湿性向上に適している。
【０００８】
請求項４は、靴内の爪先の部分に当てるための余長部を中敷き先端に設けてあることを特徴とする請求項１または請求項２に記載の靴の中敷きである。このように、靴内の爪先の部分に当てるための詰め部を中敷き先端に設けてあるため、靴内に中敷きを挿入し、前記詰め部が靴内の爪先の部分に当たるようにセットしておくと、靴内の爪先の部分に綿屑状の塵埃が溜まったり、溜まった状態で汗で湿気たりして、不衛生になるのを防止できる。
【０００９】
請求項５は、前記の中敷き先端の詰め部を中敷き部に折り重ねてあることを特徴とする請求項１、請求項２又は請求項３に記載の靴の中敷きである。このように、前記の中敷き先端の詰め部を中敷き部に折り重ねてあるため、使用時に詰め部を開いて爪先部にセットでき、販売時や保管時は折り重なっていて、中敷きとほぼ同じく小形になるので、保管や販売に支障を来さない。
【００１０】
請求項６は、前記メッシュ状質の多孔シートが、パーマネント時の髪巻きシートであることを特徴とする請求項１から請求項５までのいずれかの項に記載の靴の中敷きである。このように、メッシュ状質構造のシートが、パーマネント時の髪巻きシートであるため、既に市販品として普及しているシートを利用でき、コストダウンが可能である。しかも不織布製であるため、汗や湿気で容易に崩れたり破断するといった問題も発生しない。
【００１１】
請求項７は、前記の不織布質のシートが、キッチンペーパやキッチンタオル、掃除用のワイパーシートのように凹凸処理されたシートであることを特徴とする請求項１から請求項６までのいずれかの項に記載の靴の中敷きである。前記の不織布は、必ずしも凹凸処理されたシートである必要性はないが、キッチンペーパやキッチンタオル、掃除用のワイパーシートのように凹凸処理されていると、凹部空間の作用で通気性や速乾性に優れているので、メッシュ状シートの積層と相まって、通気性や速乾性が更に向上する。しかも、前記メッシュ状シートと同様に不織布シートも市販品を使用できるため、安価に提供でき、使い捨て式に適している。
【考案の効果】
【００１２】
請求項１のように、通気性の良いメッシュ状質と吸湿性の良い不織布質とを一体化してなるシートで靴の中敷きを構成するため、吸湿性の良い不織布質の作用によって、足から出る汗などの湿気を効果的に吸収でき、靴の中が快適な環境となる。また、一体化されている通気性の良いメッシュ状質の作用によって、不織布質の部分に吸収された湿気の乾燥が促進される。使用時は、シート１枚のみ又は２枚以上積層し、しかも厚さが２ｍｍ以下であるため、中敷きとして使用する際に靴の中が窮屈になる恐れはない。通気性の良いメッシュ状質と吸湿性の良い不織布質とを一体化して１枚のシートを構成しているので、腰が強く、靴の中に奥深く挿入する際の操作が容易で、取り扱いが簡便である。
【００１３】
請求項２のように、３枚以内のメッシュ状質の薄い多孔シートと３枚以内の薄い不織布質シートを積層してなるため、最大でも６枚のシート枚数となり、中敷きとしては薄型となる。その結果、購入後の靴に後で用いた場合に窮屈になるという問題は生じない。そして、不織布は汗の吸湿性がよく、メッシュ状シートは通気性が良いため、両者を積層してなる中敷きは、薄型であるにも係わらず、吸湿性と通気性・速乾性に優れた、理想的な中敷きを実現できる。なお、メッシュ状質シートはザラザラしているため、中敷きとして使用している最中の滑り止めとしても作用するので、特に女性用のヒールの高い靴に使用する際に有効である。
【００１４】
請求項３のように、前記の積層シートの中敷きが足裏の形状に形成されており、その前半部は、積層枚数の多い部分を有しているため、発汗の少ない足裏後半部より吸湿性が向上し、発汗の多い足裏前半部の吸湿性向上に適している。
【００１５】
請求項４のように、靴内の爪先の部分に当てるための詰め部を中敷き先端に設けてあるため、靴内に中敷きを挿入し、前記詰め部が靴内の爪先の部分に当たるようにセットしておくと、靴内の爪先の部分に綿屑状の塵埃が溜まったり、溜まった状態で汗で湿気たりして、不衛生になるのを防止できる。
【００１６】
請求項５のように、前記の中敷き先端の詰め部を中敷き部に折り重ねてあるため、使用時に詰め部を開いて爪先部にセットでき、販売時や保管時は折り重なっていて、中敷きとほぼ同じく小形になるので、保管や販売に支障を来さない。
【００１７】
請求項６のように、メッシュ状質のシートが、パーマネント時の髪巻きシートであるため、既に市販品として普及しているシートを利用でき、コストダウンが可能である。しかも不織布製であるめ、汗や湿気で容易に崩れたり破断するといった問題も発生しない。
【００１８】
前記の不織布は、必ずしも凹凸処理されたシートである必要性はないが、請求項７のように、キッチンペーパやキッチンタオル、掃除用のワイパーシートのように凹凸処理されていると、凹部空間の作用で通気性や速乾性に優れているので、メッシュ状シートの積層と相まって、通気性や速乾性が更に向上する。しかも、前記メッシュ状シートと同様に不織布シートも市販品を使用できるため、安価に提供でき、使い捨て式に適している。
【考案を実施するための最良の形態】
【００１９】
次に本考案による使い捨て式の靴の中敷きが実際上どのように具体化されるか実施形態を説明する。図１は本考案による靴の中敷きを分解した状態の斜視図であり、ｍはメッシュ状の多孔シート、ｎは不織布からなるシートである。多孔シートｍも不織布シートｎも、足の裏状に形成されている。足裏形状の多孔シートｍと不織布シートｎを重ねて積層構造にして用いるが、図２は積層構造を示す模式断面図である。
【００２０】
図２（１）は、多孔シートｍの上に不織布シートｎ、多孔シートｍ、不織布シートｎの順に４枚を積層した例である。下の多孔シートｍが靴底側、上の不織布シートｎが足裏に接する側であるが、上下反転した状態で使用してもよい。図２（２）は、図２（１）の下側の多孔シートｍの下側に１枚の不織布シートｎを追加して積層した例であり、上下両側に不織布シートｎが露出している。図２（２）とは多孔シートｍと不織布シートｎを逆にして、上下両側に多孔シートｍを露出させてもよい。このように、多孔シートｍと不織布シートｎを交互に重ねる場合に、その積層枚数や順序、上下に何れを露出させるかは自由である。図２（３）は、下側に多孔シートｍを２枚重ね、その上に不織布シートｎを２枚重ねた例である。
【００２１】
このように、多孔シートｍ同士を２枚以上重ね、さらに不織布シートｎ同士を２枚以上重ねた状態で、両者を重ねてもよい。この場合も、図２（３）の状態を上下反転して、靴底側に不織布シートｎを、足裏側に多孔シートｍを配置してもよい。以上のように、多孔シートｍと不織布シートｎを積層する際の積層形態は任意であるが、多孔シートｍも不織布シートｎもそれぞれ３枚以下、計６枚以下が好ましい。６枚を越えると、中敷きとしては厚過ぎるからである。なお、６枚積層した際の厚みは、最大でも約２ｍｍ以内であり、しかも初めは弾力に富んでいるが、使用中に足から受ける荷重で次第に押しつぶされて弾力は低下し、厚みも次第に薄くなる。
【００２２】
以上のように不織布シートｎだけでなく、メッシュ状の多孔シートｍも積層するため、中敷き中に無数の空隙が出来る。その結果、靴の中に敷いた状態でも、通気性が良くなり、靴の内部が湿気たり、足裏が蒸れたりするのを効果的に防げる。不織布シートｎは吸湿性が良いので、足の発汗や靴の内部の湿気を効果的に吸収するので、足裏の不快感を解消できる。しかも、不織布シートｎと多孔シートｍを積層してあるので、不織布シートｎで吸収した湿気は多孔シートｍの空隙の作用で効果的に湿気の乾燥が促進される。
【００２３】
いずれにしても、本考案の中敷きは使い捨て式だから、使用時の気温や湿度、天候、季節などによって、或いは通気性の悪い雨靴やブーツを履いているときなどは、中敷きが湿気過ぎて、不快感が高まってきたら、取り出して捨てることになる。前記のように、既製の多孔シートｍと不織布シートｎを採用して、積層状態で足裏形状にカットするだけであるから、容易にかつ安価に製造でき、使い捨てに好適である。また、これらのシートを積層するだけであるから、従来の中敷きのように厚過ぎることはなく、靴の内部が窮屈になる恐れもない。積層された各シートの間は、中敷きの外周部において接着したり、縫い付けることで一体化できる。図３（４）のように、中央部において１か所だけ、ミシン目Ｓのように縫い合わせてもよい。中敷きの外周部に接着剤をしみ込ませて接着したり、機械的に外周部をプレスして各層間を圧着してもよい。
【００２４】
多孔シートｍや不織布シートｎの積層枚数は、中敷きの位置によって変えることもできる。すなわち、中敷きの前半の部分、特に指の付近が発汗によって湿気やすいので、中敷きの前半の部分、すなわち図１の鎖線ｃから前の部分の積層枚数を多めにする。このとき、中敷きとして所用枚数のシートを積層した状態で二つ折りにすれば、鎖線ｃから前半の部分を２倍の積層枚数にすることもできる。２倍の枚数にしない場合は、前半の部分に任意の枚数を重ねてカットすれば足りる。
【００２５】
図３は、中敷きの先端に詰め部を設けた例である。図３（１）はその平面図で、中敷きｉの先端部に詰め部Ｐを折り重ねた状態で、この状態を側面図で見ると、図３（２）のようになる。すなわち、中敷きｉの先端側のみ（２）図のように二つ折りに重ねた状態で、（１）図のように足裏形にカットすることによって、中敷きｉの先端部に詰め部Ｐを折り重ねてある。中敷きとして使用する際は、図３（３）のように、詰め部Ｐを起こした状態で、靴の中に挿入すると、靴先の最も尖った部分の内部に詰め部Ｐが押し込まれて、指先ｆと靴先内面との間に介在する。その結果、靴先内部の湿気が吸収されるので、中敷きを取り外して使い捨てすることによって、靴の内部がいつまでも湿気た状態になるのを防止できる。
【００２６】
図３（４）は、説明の都合上、詰め部Ｐを平らに拡げた状態の平面図である。詰め部Ｐの前後方向の長さＬを長めに形成しておくと、中敷きとして使用する際に、詰め部Ｐを鎖線ａ１の部分で二つ折りにすると、詰め部Ｐの前半の部分がａ１位置で折り返されて、鎖線Ｐ２のようになるので、靴先内面を詰め部Ｐ２で確実にカバーでき、塵埃が靴の靴先内部に付着するのを防止できる。なお、使用者の好みに応じて、ａ２および／又はａ３の位置で更に折って重ねることで、折り重ね枚数を更に増加できる。前記のように、中敷きｉの積層枚数を増やした前半部に、以上のような詰め部Ｐを設けることもできる。販売や保管時には、詰め部Ｐは、図３（２）のように折り重ねておくのがよいが、図３（４）のように拡げた状態でも差し支えない。
【００２７】
図４は、図３（４）のように詰め部Ｐを拡げた状態の別の実施形態である。図３（４）の詰め部Ｐは半円弧状をしているのに対し、図４では長方形状であるから、図３（１）（２）のように折り重ねた状態では足裏形状にカットできない。したがって、図４のように、中敷きｉの先端に長方形状の詰め部Ｐが一体に連続した状態にカットすることになる。この場合も、販売時や保管時には、長方形状の詰め部Ｐは中敷きｉの先端に開いた状態で一体化してもよいが、鎖線Ｐ１で図示するように、中敷きｉの上に折り重ねてあってもよい。使用時は、鎖線ａ１で折り曲げて２枚重ねにして、靴の爪先部に当ててもよいし、さらに鎖線ａ２、ａ３の位置でも折り重ねてもよい。
【００２８】
メッシュ構造の多孔シートｍは市販の既製品を使用できる。例えば、パーマネント時の髪巻きシートなどが適しており、既に市販品として普及しているシートを利用でき、コストダウンが可能である。しかも不織布製であるため、汗や湿気で容易に崩れたり破断するといった問題も発生しない。また、前記の不織布シートｎは、必ずしも凹凸処理されたシートである必要性はないが、キッチンペーパやキッチンタオル、掃除用のワイパーシートなどのように凹凸処理されていると、凹部空間の作用で通気性や速乾性に優れているので、メッシュ状シートの積層と相まって、通気性や速乾性が更に向上する。しかも、前記多孔シートと同様に、不織布シートも市販品を使用できるため、安価に提供でき、使い捨て式に適している。なお、メッシュ状シートのメッシュの形状やサイズは任意である。
【００２９】
以上の実施形態は、メッシュ状の多孔シートｍと不織布からなるシートｎが別々であるが、例えば洋服の衿芯などのように、両者を任意の方法で一体化したシートも可能である。すなわち、通気性の良いメッシュ状質と吸湿性の良い不織布質とを一体化して、１枚のシートを構成する。この場合、１枚のシートで両方の特性を有しているので、１枚だけでも、吸湿性と通気性の良い中敷きを実現でき、しかも腰の強い中敷きが可能となる。２枚以上を重ねて複数層の中敷きも可能であるが、全体の厚さを２ｍｍ以下にしないと、靴底に敷いた際に、靴の中が窮屈になる恐れがある。
【００３０】
以上の各中敷きにおいて、靴底側のシートには、靴底側の面に予め接着剤を塗布して剥離シートを重ねておくと、剥離シートを剥がして使用でき、使用者の体重で中敷きが靴底側に接着固定されるので、使用中に靴の内部でずれたりする問題が解消される。接着作用によって、靴底や爪先に付着している粉塵が常に接着除去されるという効果も奏する。また、本考案の中敷きは使い捨てであるため、怪我や水虫などのために軟膏などを塗布した場合に、塗薬が直接靴底に付着することはなく、中敷きに付着し、かつ定期的に破棄されるので、靴底が汚れたり不潔になるという問題も発生しない。なお、本考案の中敷きは、子供用や女性用、男性用を製造し、それぞれＳ、Ｍ、Ｌなど、各種サイズを予め揃えておくことが望ましい。
【産業上の利用可能性】
【００３１】
以上のように、本考案の使い捨て式の靴中敷きによると、不織布シートと多孔シートを積層する構造であるから、厚過ぎて靴の内部が窮屈になることはなく、また安価に製造できるので、手軽に使用して使い捨てできる。吸湿性と通気性が良いので、快適となり、靴先内に湿気た綿屑や塵埃が溜まって不潔になったり水虫の原因となるなどの問題も解消され、衛生的である。
【図面の簡単な説明】
【００３２】
【図１】本考案による靴の中敷きを分解した状態の斜視図である。
【図２】靴中敷きの積層構造を示す模式縦断面図である。
【図３】靴中敷きの先端に詰め部を設けた例で、（１）は平面図、（２）は側面図、（３）は詰め部を立てた状態の側面図、（４）は詰め部を拡げた状態の平面図である。
【図４】図３（４）のように詰め部を拡げた状態の別の実施形態である。
【符号の説明】
【００３３】
ｍ  メッシュ状の多孔シート
ｎ  不織布からなるシート
ｃ  前後方向の中間位置
ｉ  中敷き
Ｓ  ミシン目
Ｐ  詰め部
ｆ  足の指先
【図１】
0003127317.tif 000003
【図２】
0003127317.tif 000004
【図３】
0003127317.tif 000005
【図４】
0003127317.tif 000006